(57)【要約】  サンプルを受け取るためのキャビティを定義するテストストリップを含む生物学的流体のサンプル中の検体を試験するためのシステムである。一方がサンプルの１つの特性を測定し、他方が温度および／または交絡変数の存在または大きさなどのサンプルの１つまたは1つ以上の他の特性を測定する、少なくとも２つの電極セットがサンプルキャビティに隣接する。所望の結果を生ぜしめるために測定は組み合わされる。少なくとも１セットの作用電極および対電極が、他の電極セットのものと相互嵌合するそれぞれ複数の細長い「フィンガー」を有する。フィンガー間のギャップはきわめて小さいものでよく、これによって２つの電極セットが小さな測定容積のサンプルで操作可能となる。サンプルの存在または充実性を測定する追加の電極を含むことが可能であり、ストリップ上の追加のトレースが構成識別子として作用可能である。
2007521484.tif 000002
【特許請求の範囲】
【請求項１】
毛細管通路を定めるテストストリップ中において、該通路が、該通路を経由して所定の経路に沿って、体液サンプルの移動を誘導するように設計され、サンプル中の検体の濃度に相関している第１計量を得るための該通路と電気的に伝達される第１セット電極と、
検体とサンプルの１つ以上の特性と相関する第２計量を得るための該通路と電気的に伝達される第２セット電極を含むことを特徴とする改良。
【請求項２】
該第２セット電極が、実質的に平行である電極対と、互いに噛み合ったフィンガーとからなり、各電極は、少なくとも２つのフィンガーをもち、さらに各フィンガーは、第２セット電極中の他の最近接フィンガーから、約５０ミクロン未満であることを特徴とする請求項１記載のテストストリップ。
【請求項３】
該第１セット電極が、実質的に平行である電極対と、互いに噛み合ったフィンガーとからなり、各電極は、少なくとも２つのフィンガーをもち、さらに各フィンガーは、第１セット電極中の他の最近接フィンガーから、約５０ミクロン未満であることを特徴とする請求項２記載のテストストリップ。
【請求項４】
各フィンガーが、第１セット電極中の他の最近接フィンガーから少なくとも約１ミクロンであることを特徴とする請求項３記載のテストストリップ。
【請求項５】
各フィンガーが、第１セット電極中の他の最近接フィンガーから少なくとも約１０ミクロンであることを特徴とする請求項３記載のテストストリップ。
【請求項６】
該第２セット電極が、実質的に平行である電極対と、互いに噛み合ったフィンガーとからなり、各電極は、少なくとも２つのフィンガーをもち、さらに各フィンガーは、幅が約５０ミクロン未満であることを特徴とする請求項１記載のテストストリップ。
【請求項７】
該第１セット電極が、実質的に平行である電極対と、互いに噛み合ったフィンガーとからなり、各電極は、少なくとも２つのフィンガーをもち、さらに各フィンガーは、幅が約５０ミクロン未満であることを特徴とする請求項６記載のテストストリップ。
【請求項８】
各フィンガーが、第１セット電極中の他の最近接フィンガーから少なくとも約１ミクロンであることを特徴とする請求項６記載のテストストリップ。
【請求項９】
各フィンガーが、第１セット電極中の他の最近接フィンガーから少なくとも約１０ミクロンであることを特徴とする請求項８記載のテストストリップ。
【請求項１０】
サンプルが、通路中の所定の距離を入ってくるときに定量する経路と電気的に伝達される第３セット電極をさらに含むことを特徴とする請求項１記載のテストストリップ。
【請求項１１】
第３セット電極が、第１セット電極および第２セット電極からなる群から選択されることを特徴とする請求項１０記載のテストストリップ。
【請求項１２】
第３セット電極が、第１セット電極および第２セット電極の両者よりも通路の入り口に近い単一電極であることを特徴とする請求項１０記載のテストストリップ。
【請求項１３】
該単一電極が、１つ以上の電気的に接続されているフィンガーをもち、各フィンガーが、約５ミクロンと約５０ミクロンのあいだの幅をもっていることを特徴とする請求項１２記載のテストストリップ。
【請求項１４】
第３セット電極が、第１セット電極および第２セット電極とからなり、その両者が、第１セット電極および第２セット電極よりも通路の入り口に近いことを特徴とする請求項１０記載のテストストリップ。
【請求項１５】
線量検出作用電極および線量検出対極が、それぞれ複数の電気的に接続されたフィンガーをもち、各フィンガーは、実質的に長方形の形状をしておりまた約５ミクロンと約５０ミクロンのあいだの幅をもっていることを特徴とする請求項１４記載のテストストリップ。
【請求項１６】
サンプルが、第１セット電極および第２セット電極をカバーするために、通路を満たすときに定量する経路と電気的に伝達される第３セット電極をさらに含むことを特徴とする請求項１記載のテストストリップ。
【請求項１７】
第３セット電極が、第１セット電極および第２セット電極からなる群から選択されることを特徴とする請求項１６記載のテストストリップ。
【請求項１８】
第３セット電極が、第１セット電極および第２セット電極の両者よりも通路の入り口から遠い単一電極であることを特徴とする請求項１６記載のテストストリップ。
【請求項１９】
該単一電極が、１つ以上の電気的に接続されたフィンガーをもち、各フィンガーは、実質的に長方形の形状をしておりまた約５０ミクロン未満の幅をもっていることを特徴とする請求項１８記載のテストストリップ。
【請求項２０】
第３セット電極が、サンプル充実作用電極およびサンプル充実対極とからなり、両者は、第１セット電極および第２セット電極よりも通路の入り口から遠いことを特徴とする請求項１６記載のテストストリップ。
【請求項２１】
該サンプル充実作用電極およびサンプル充実対極が、各々複数の電気的に接続されたフィンガーをもち、各フィンガーは、実質的に長方形の形状をしておりまた約５ミクロンから約５０ミクロンのあいだの幅をもっていることを特徴とする請求項２０記載のテストストリップ。
【請求項２２】
請求項１に記載のテストストリップであって、該第１セット電極は、第１電極および第２電極からなり、
第２セット電極は、第３電極および第４電極からなり、
第１電極および第３電極は、互いに電気的に接続され、また
第２電極および第４電極は、互いに電気的に伝達されていることを特徴とするテストストリップ。
【請求項２３】
第１セット電極上にさらに試薬材料を含み、そこでは試薬材料は、体液と結合し、酸化還元反応を生じることを特徴とする請求項１記載のテストストリップ。
【請求項２４】
第２セット電極上にさらに試薬材料を含み、そこでは試薬材料は、体液と結合し、酸化還元反応を生じることを特徴とする請求項１記載のテストストリップ。
【請求項２５】
第１電極および第２電極からなり、実質的に平面状の第１物理ゾーン中で機能する第１電極対と、
第３電極および第４電極からなり、平面状の第１物理ゾーンと実質的に同一平面である実質的に平面状の第２物理ゾーン中で機能する第２電極対とからなる診断ストリップであって、
第１電極および第２電極の各々は、複数のフィンガーを含み、
第１電極および第２電極のフィンガーは、互いに噛み合い、そして最近接の隣接するフィンガーから、最近接点において多くとも約５０ミクロンだけ離れていることを特徴とする診断ストリップ。
【請求項２６】
第１電極対が、第２電極対よりも端に近いことを特徴とする請求項２５記載の診断ストリップ。
【請求項２７】
第１電極対および第２電極対よりも端から離れて位置している第５電極をさらに含むことを特徴とする請求項２６記載の診断ストリップ。
【請求項２８】
第５電極対が、単一導電リードであることを特徴とする請求項２７記載の診断ストリップ。
【請求項２９】
該第５電極対が、多くとも約５０ミクロンの幅をもっていることを特徴とする請求項２８記載の診断ストリップ。
【請求項３０】
該第５電極対が、少なくとも約５０ミクロンの幅をもつことを特徴とする請求項２８記載の診断ストリップ。
【請求項３１】
第５電極対が、複数の導電リードであることを特徴とする請求項２７記載の診断ストリップ。
【請求項３２】
複数の導電リードが、それぞれ多くとも約５０ミクロンの幅をもちかつストリップ上で必ずしも全てが、互いに電気的接続されていないことを特徴とする請求項３１記載の診断ストリップ。
【請求項３３】
第２電極対が、第１電極対より端に近いことを特徴とする請求項２５記載の診断ストリップ。
【請求項３４】
第２電極対が、少なくとも２つのフィンガーからなり、各々は、少なくとも約５０ミクロンの幅であることを特徴とする請求項３３記載の診断ストリップ。
【請求項３５】
第２電極対が、少なくとも２つのフィンガーからなり、各々は、多くとも約５０ミクロンの幅であることを特徴とする請求項３３記載の診断ストリップ。
【請求項３６】
第１電極対および第２電極対よりも端から遠くに位置している第５電極をさらに含むことを特徴とする請求項３３記載の診断ストリップ。
【請求項３７】
第５電極が、単一導電リードであることを特徴とする請求項３６記載の診断ストリップ。
【請求項３８】
該第５電極が、多くとも約５０ミクロンの幅をもっていることを特徴とする請求項３７記載の診断ストリップ。
【請求項３９】
該第５電極が、少なくとも約５０ミクロンの幅をもっていることを特徴とする請求項３７記載の診断ストリップ。
【請求項４０】
該第５電極が、複数の導電リードであることを特徴とする請求項３６記載の診断ストリップ。
【請求項４１】
複数の導電リードが、端に対して平行に延びており、多くとも約５０ミクロンの幅をもっており、かつストリップ上で互いに電気的に接続されていないことを特徴とする請求項４０記載の診断ストリップ。
【請求項４２】
第３電極および第４電極が、各々１つ以上のフィンガーからなり、かつ第３電極のフィンガーおよび第４電極のフィンガーの各々は、少なくとも約５０ミクロンの幅をもつことを特徴とする請求項２５記載の診断ストリップ。
【請求項４３】
第３電極および第４電極の各々が、各々１つ以上のフィンガーからなり、かつ第３電極のフィンガーおよび第４電極のフィンガーの各々は、多くとも約５０ミクロンの幅をもつことを特徴とする請求項２５記載の診断ストリップ。
【請求項４４】
第１電極および第２電極のフィンガーが、各々、最近接フィンガーから、最近接点において多くとも約３０ミクロンだけ離れていることを特徴とする請求項２５記載の診断ストリップ。
【請求項４５】
第１電極および第２電極のフィンガーが、実質的に長方形の形状をしており、多くとも約２０ミクロンの幅であり、かつ第１電極および第２電極のフィンガーは、各々、最近接フィンガーから、最近接点において多くとも約２０ミクロンだけ離れていることを特徴とする請求項２５記載の診断ストリップ。
【請求項４６】
第１および第２電極対から離れて置かれているストリップ上の第１電気的コンタクトおよび第２電気的コンタクトをさらに含む診断ストリップであって、
第１電極および第３電極は、第１電気的コンタクトに電気的に接続され、また第２電極および第４電極は、第２電気的コンタクトに電気的に接続されていることを特徴とする請求項２５記載の診断ストリップ。
【請求項４７】
第１および第２電極対から離れて置かれているストリップ上の第１電気的コンタクト、第２電気的コンタクト、第３電気的コンタクトおよび第４電気的コンタクトをさらに含む診断ストリップであって、
第１電極は、第１電気的コンタクトに電気的に接続され、第２電極は、第２電気的コンタクトに電気的に接続され、第３電極は、第３電気的コンタクトに電気的に接続され、また第４電極は、第４電気的コンタクトに電気的に接続されていることを特徴とする請求項２５記載の診断ストリップ。
【請求項４８】
第１電極対上に試薬材料をさらに含むテストストリップであって、試薬材料は、体液と結合し、酸化還元反応を生じることを特徴とする請求項２５記載のテストストリップ。
【請求項４９】
第２電極対上に第１試薬材料をさらに含むテストストリップであって、第１試薬材料は、体液と結合し、酸化還元反応を生じることを特徴とする請求項２５記載のテストストリップ。
【請求項５０】
第１電極対上に第２試薬材料をさらに含むことを特徴とする請求項４９記載のテストストリップ。
【請求項５１】
第１試薬材料および第２試薬材料が、同一材料であることを特徴とする請求項５０記載のテストストリップ。
【請求項５２】
第２試薬材料は、体液と結合し、酸化還元反応を生じることを特徴とする請求項５０記載のテストストリップ。
【請求項５３】
検体の濃度を測定するための第１電極手段と、４．００秒未満で定常状態または準定常状態条件に到達する電気的応答を測定することにより、訂正因子を求めるための第２電極手段を含むことを特徴とするテストストリップ。
【請求項５４】
第２電極応答が、３．００秒未満で定常状態または準定常状態に到達することを特徴とする請求項５３記載のテストストリップ。
【請求項５５】
第２電極応答が、２．００秒未満で定常状態または準定常状態に到達することを特徴とする請求項５３記載のテストストリップ。
【請求項５６】
第２電極応答が、１．００秒未満で定常状態または準定常状態に到達することを特徴とする請求項５３記載のテストストリップ。
【請求項５７】
第２電極応答が、０．５０秒未満で定常状態または準定常状態に到達することを特徴とする請求項５３記載のテストストリップ。
【請求項５８】
サンプルキャビティの第１測定領域中の体液サンプルをテストするために適用される第１センサーと、サンプルキャビティの第２測定領域内の同一サンプルをテストするために適用される第２センサーとを含むテストストリップであって、第１測定領域および第２測定領域は、合計で、多くとも約２４０ｎＬであることを特徴とするテストストリップ。
【請求項５９】
全測定体積が、多くとも約２００ｎＬであることを特徴とする請求項５８記載のテストストリップ。
【請求項６０】
全測定体積が、多くとも約９０ｎＬであることを特徴とする請求項５８記載のテストストリップ。
【請求項６１】
全測定体積が、多くとも約８０ｎＬであることを特徴とする請求項５８記載のテストストリップ。
【請求項６２】
全測定体積が、多くとも約６５ｎＬであることを特徴とする請求項５８記載のテストストリップ。
【請求項６３】
第１センサーが、作用電極および対極からなり、かつ第２センサーが、単一リードからなることを特徴とする請求項５８記載のテストストリップ。
【請求項６４】
第１センサーが、第１作用電極および第１対極からなり、かつ第２センサーが、第２作用電極および第２対極からなることを特徴とする請求項５８記載のテストストリップ。
【請求項６５】
第２作用電極および第２対極が、導電性フィンガーの互いに噛み合ったアレーであり、各フィンガーは、実質的には長方形の形状をしており、かつ約５ミクロンから約５０ミクロンの幅をもっていることを特徴とする請求項６４記載のテストストリップ。
【請求項６６】
体液サンプル中の検体濃度を測定する方法であって、サンプルに対する第１電気信号の印加に対する第１応答を取得することと、サンプルに対する第２電気信号の印加に対する第２応答を取得することと、サンプル中の検体濃度測定を導くために、第１応答および第２応答を使用することを含むことを特徴とする方法。
【請求項６７】
該取得工程が、時間の重なり期間中に行われることを特徴とする請求項６６記載の方法。
【請求項６８】
第１電気信号が、サンプルと電気的に接触する第１電極対を経由して印加され、第２電気信号が、サンプルと電気的に接触する第２電極対を経由して印加され、該サンプルの体積が、約２４０ｎＬ未満であることを特徴とする請求項６６記載の方法。
【請求項６９】
サンプルの体積が、約２００ｎＬ未満であることを特徴とする請求項６８に記載の方法。
【請求項７０】
サンプルの体積が、約９０ｎＬ未満であることを特徴とする請求項６８記載の方法。
【請求項７１】
サンプルの体積が、約８０ｎＬ未満であることを特徴とする請求項６８記載の方法。
【請求項７２】
サンプルの体積が、約６５ｎＬ未満であることを特徴とする請求項６８記載の方法。
【請求項７３】
取得工程の前に、サンプルの体積の充実を検出することを、さらに包含することを特徴とする請求項６６記載の方法。
【請求項７４】
該検出は、少なくとも第３電極を用いて行われることを特徴とする請求項７３記載の方法。
【請求項７５】
該検出が、第３電極対を用いて行われることを特徴とする請求項７４記載の方法。
【請求項７６】
サンプル中の検体のおおよその濃度を示す第１応答を発現させるための第１信号を、サンプルに印加するために構成されている第１電極対と、サンプルの第２特性を示す第２応答を発現させるための第２信号を、サンプルに印加するために構成されている第２電極対とを含み、第２特性が第１応答に影響する体液サンプル中の検体濃度を測定するセンサーであって、
少なくとも第１応答および第２応答の１つが、対応する信号を印加後４．００秒未満で、定常状態に到達することを特徴とするセンサー。
【請求項７７】
少なくとも第１応答および第２応答の１つが、３．００秒未満で、定常状態に到達することを特徴とする請求項７６記載のセンサー。
【請求項７８】
少なくとも第１応答および第２応答の１つが、２．００秒未満で、定常状態に到達することを特徴とする請求項７６記載のセンサー。
【請求項７９】
少なくとも第１応答および第２応答の１つが、１．００秒未満で、定常状態に到達することを特徴とする請求項７６記載のセンサー。
【請求項８０】
少なくとも第１応答および第２応答の１つが、０．５０秒未満で、定常状態に到達することを特徴とする請求項７６記載のセンサー。
【請求項８１】
サンプル中の検体のおおよその濃度を示す第１応答を発現させるための第１信号を、サンプルに印加するために構成されている第１電極対と、サンプルの１つ以上の特性に対して、異なる感度をもつ第２応答を発現させるための第２信号を、サンプルに印加するために構成されている第２電極対と、
サンプル中の検体濃度の訂正された測定を導くために、第１応答および第２応答を使用することを含む体液サンプル中の検体濃度を測定する方法であって、
少なくとも第１応答および第２応答の１つが、４．００秒未満で、定常状態または準定常状態に到達することを特徴とする方法。
【請求項８２】
少なくとも第１応答および第２応答の１つが、３．００秒未満で、定常状態または準定常状態に到達することを特徴とする請求項８１記載のセンサー。
【請求項８３】
少なくとも第１応答および第２応答の１つが、２．００秒未満で、定常状態または準定常状態に到達することを特徴とする請求項８１記載のセンサー。
【請求項８４】
少なくとも第１応答および第２応答の１つが、１．００秒未満で、定常状態または準定常状態に到達することを特徴とする請求項８１記載のセンサー。
【請求項８５】
少なくとも第１応答および第２応答の１つが、０．５０秒未満で、定常状態または準定常状態に到達することを特徴とする請求項８１記載のセンサー。
【発明の詳細な説明】
【技術分野】
【０００１】
［関連出願の参照］
本出願は、２００３年６月２０日に出願された「電気化学的バイオセンサーに関する装置および方法」というタイトルの米国特許仮出願番号第６０／４８０２４３号に優先権を主張する。本出願は、「ＡＣ励起を用いた検体測定用システムおよび方法」（米国特許出願第１０／６８８，３４３号、以下、「ＡＣ励起出願」という）、「バイオセンサーの製作法」（ケース番号ＲＤＩＤ−９９５８−ＣＩＰ−ＵＳ、以下、「バイオセンサー出願」という）および「検体センサーに関連する装置および方法」（米国仮特許出願第６０／４８０，３９７号、以下、「検体センサー出願」という）という名称の出願に関して、また米国特許出願第１０／２６４，８９１号（マイクロ電極アレーからなる電極、方法、装置という名称で、２００２年１０月４日付けにファイルされている）にも関しており、それらは、全てそっくり、参照としてここに組み入れられている。
【背景技術】
【０００２】
本発明は、体液のサンプルからなどの生物学的サンプルからの検体を、測定するための装置、システムおよび方法に関するものである。さらに、詳細には、本発明は、ある電気的応答特性を用いて、検体をテストするためのバイオセンサーおよび方法に関するものである。
【０００３】
物質の濃度、特に他の交絡物質（「干渉」）の存在下に測定することは、多くの分野で重要であり、また特に医療診断および疾病管理において特に重要である。たとえば、血液などの体液中のグルコース測定は、糖尿病の有効的治療のために、不可欠なものである。
【０００４】
血液サンプル中のグルコースなどの検体濃度を測定するためには、多くの方法が、公知である。このような方法は、典型的には、２つの範疇、すなわち光学的方法および電気化学的方法に集約される。光学的方法は、典型的には、検体と組み合わされて公知の色を生じる試薬と連結して、検体の濃度により生じる体液中のスペクトルシフトを観察するために、吸収、反射またはレーザー分光法を包含している。電気化学的方法は、典型的には、検体と組み合わされたときに、電荷キャリヤーを生じる、または改質する試薬と連結して、血液サンプルの電荷移動または電荷移動特性（たとえば、電流、界面電位、インピーダンス、コンダクタンスなど）と検体の濃度間の相関関係に、一般的に依存している。たとえば、プライデル（Preidel）らの米国特許第４，９１９，７７０号明細書、およびシー（Shieh）の米国特許第６，０５４，０３９号明細書があり、これらは、ここに、そっくり参照として組み入れられている。
【０００５】
血液中の化学品の濃度を測定する電気化学的方法の重要な制限は、血液サンプルのインピーダンスに対する交絡変数の効果である。たとえば、血液サンプルの形状は、濃度対インピーダンス・マップ機能をベースとした形状に密接に対応していなければならない。
【０００６】
血液サンプルの形状は、典型的には、テスト装置のサンプル受け取り部分により制御される。血液グルコース計の場合、たとえば、血液サンプルは、典型的には、グルコース計中に差し込む使い捨てテストストリップ上に置かれる。テストストリップは、サンプルの形状を定めるためのサンプル室をもっていても良い。２者択一的には、サンプルの形状の効果は、事実上無限のサンプルサイズを確かなものとすることにより、制限しても良い。たとえば、検体を測定するために使用される電極は、テストストリップの血液の滴が、電極を越えてあらゆる方向に実質的に広がるように、充分密接させておいても良い。サンプルの形状を制御するために使用される方策とは無関係に、典型的には、１以上の線量充実電極が、充分なテスト結果を確保するために、充分なサンプル量になることを確かめるために使用される。
【０００７】
血液グルコース測定の精度に対する制限の他の例は、血液化学（測定に関心のある検体以外）中の変化を包含する。たとえば、ヘマトクリット（赤血球の濃度）中の変化、または血液中の他の化学品、成分または形成された要素の濃度中での変化は、測定に影響を及ぼしても良い。血液サンプルの温度における変化は、血液化学を測定する交絡変数の他の例である。
【０００８】
このようにして、温度、ヘマトクリットおよび血液中の他の化学品の濃度における変化を包含した交絡変数の存在下でさえも、正確に血液グルコースを測定するシステムおよび方法が、必要とされている。体液中の検体を正確に測定するシステムおよび方法が、同様に必要とされている。本発明の目的は、このようなシステムおよび方法を提供することである。
【０００９】
１つ以上の干渉源の影響を減衰させまたは緩和させるために、または測定値を補償しまたは訂正するために、多くのアプローチが試されてきた。選択された測定法に関連した感度を、充分に補償するために、しばしば多重のデザイン解が、採用されている。
【００１０】
よく知られているデザイン解としては、パーム選択性(perm-selective)および／またはサイズ選択性(size-selective)膜、フィルターまたは塗膜が、挙げられる。このようなデザイン解は、商品の増大するコスト、および製造コスト、複雑性および生産速度をさらに悪化させる追加の製造プロセス工程に、悩まされている。これらの方法を採用しているシステム（使い捨てテストストリップおよび機器）は、テストストリップのデザインの範囲内で問題を克服する一般的なアプローチをとっている。
【００１１】
他の一般的なアプローチとしては、共最適化アルゴリズムと連結した高性能励起および信号処理の使用が、挙げられる。より簡単な、複雑性の少ない、テストストリップ構造および製造プロセスは、実現されよう。しかし、機器コスト、メモリーおよびプロセッサ要件、関連した複雑なコーディングおよび調節した製造技術が、必要である。この技術を用いたシステムは、器具類の範囲内の問題点を克服する一般的なアプローチを採用している。
【００１２】
より最近のアプローチは、本質的に、ストリップも器具類も包含していないが、測定方法論をむしろ有効に引き出している。この例は、ヘマトクリットおよび温度の影響を減衰させる電量法を用いることである。
【００１３】
上記の全てのアプローチは、試薬システムの初期デザインにより、さらにサポートされていることは、当業者には、充分公知のことである。たとえば、グルコースの検出においては、酸化還元活性種または他の砂糖の存在の不利な影響を克服するために、酸化還元媒介者および酵素の使用を包含している。
【００１４】
本発明の目的は、現在広く使用されている一般的なアプローチに関連したデメリットで悩まないように、干渉の影響を減衰させるためのより簡便で、低コストの方法を提供することである。
【発明の開示】
【００１５】
一般的には、２対
１つの態様において、本発明は、干渉用検体測定を訂正しまたは補償するために、２つの測定を使用できるようにする２対の電極の設備を含む。たとえば、一つの実施形態において、１対の電極は、第１の測定ゾーンを定め、一方第２の対は、第２の測定ゾーンを定める。この２対は、大雑把に同一面であり、１対の電極内には、各々は、他の長さに実質的に平行な長さを有している。第１対の電極中の少なくとも１つの電極は、少なくとも２つの延びた長方形の電導性エレメントを備え、それらは、対になっている他の電極の電導性エレメントと互いに噛み合っている。電極用各エレメントは、ドライバーおよび／またはメータと電気的伝達用の同一のコンタクトに、電導的に接続されている。サンプルは、投与後２対の電極と電気的に接続されている。
【００１６】
前述のことについてのいくつかの変更を意図している。たとえば、１つのアプローチにおいては、１つの試薬または複数の試薬は、サンプル室中に残っている少なくとも２対の電極の内の少なくとも１つの電極上に選択的に展開させることが出来る。２対の電極は、第１試薬で塗布されている。状況に応じては、２対の電極のうちの１つは、第１試薬で塗布されており、かつ第２の対は、同一の試薬で塗布されているが、酵素または媒介体のいずれかを欠いている。２者択一的には、２対の電極の１つが第１の試薬で塗布され、かつ他の対が第２の試薬で塗布されている。他の実施形態において、少なくとも２対の電極の内の１つは試薬で塗布され、かつ他の対は試薬の塗膜が無く、下流の対が試薬の塗膜をもっていることが好ましい。この実施形態の変形において、他の対は、パーム選択性、サイズ選択性である塗膜で覆われ、またはさもなければ、１つ以上の検体および／または干渉の存在下において、電極応答に影響する。
【００１７】
さらなる態様においては、線量検出電極および線量充実電極が包含される。たとえば、第１の２つの電極対より端からさらに離れている、すなわち、入ってくるサンプル体液の下流であって、かつ正確なテストを行うために、充分なサンプル体液があるときを検出するために、操作可能である第３電極システムを包含しても良い。この第３電極システムは、単一の電極エレメントまたは複数のエレメントを含んでいても良い。単一エレメントの態様において、エレメントはサンプルの充分さをテストするために、１つまたは１つ以上の他の電極と組み合わされて機能する。または、線量充実電極システムは、サンプルの充分さを証明するために、互いに共同する１対の電極エレメントを含んでいても良い。比較電極システムは、サンプル体液が、バイオセンサーに適用されたときを検出するために、同様に用いても良い。
【発明を実施するための最良の形態】
【００１８】
本発明の原理の理解を促進する目的のために、図に示された実施形態を参照しかつそれを記述するために、特定の語彙を使用する。にもかかわらず、本発明の範囲は、それによりなんら制限されるものではなく、いかなる変更および記述されまたは図示された実施形態のさらなる改質およびここに示された発明の原理の更なる応用は、発明に関連する当業者なら通常考慮されるものと理解されるものとする。
【００１９】
緒言
一般的に、本発明のテストストリップは、異なる機能を行うまたはサンプルと異なる応答機能をもっている多重電極アレーを用いて、体液または他の液中の検体のテストを提供する。１つの特定の実施形態は、それぞれ対で機能するが、他の電極対から得られた結果を補償しまたは訂正するために使用される１つの電極から得られる情報をもつことにより、または所定の方法で電極対の応答を結びつけることにより、検体濃度の最終同定のために、情報を提供するマクロ電極およびミクロ電極の組み合わせを包含する。
【００２０】
これらの電極アレーは、サンプル充実および線量検出のみならず、検体濃度、ヘマトクリットの検出、訂正因子の決定を包含する多重の関係機能を、全て、単一ストリップ上で、およびきわめて小さいスペース中で達成するために、多様な方法で結び付けても良い。または、干渉体に対する異なる感度をもった多重アレーを使用することにより、当業者に対して、通常起こるより、さらに正確な結果を提供するために２つの計量を生かしても良い。
【００２１】
種々の実施形態においては、異なる電気化学的励起技術（たとえば、ＤＣ，ＡＣ相，ＡＣ振幅、またはＤＣ／ＡＣの組み合わせ）は、望みのゴールを達成するために、これらの異なる電極アレーに適用される。このような技術の例は、当技術では公知であり、上記に参照として組み入れたＡＣ励起応用に例示される。
【００２２】
他の典型的な技術は、テストされる電気化学的活性種の拡散係数の変化を補償する。電極表面における可溶性試薬中のファラデー電流は、これらの種の物理的拡散により生じ、かつ拡散係数の値は、測定された応答に影響する。市販のシステムは、しばしば検量され、グルコースの所定量に対する名目センサー応答（ファラデー電流）は、拡散係数が固定されていれば、反復される。不幸にも、各サンプルの温度およびヘマトクリット（ＨＣＴ）の両方が、測定される電気的活性種の有効拡散係数を変化させる。もし、これらの因子が、考慮されない場合には、グルコース計量は、システムの検定に使用されるこれらから異なる温度またはヘマトクリットに対して、エラーとなりうる。
【００２３】
この典型的な技術において、システムは、関心の検体による電気化学的センサーのファラデー応答を決定し、かつ電極表面における酸化還元反応を受ける種の実質的有効拡散係数の推定を提供する。特に、このシステムは、同一試薬サンプル混合物に暴露される２つの電極システム（好ましくは、異なったタイプ）を使用することによって拡散係数変化を相殺する。グルコースバイオセンサー中に普通用いられる酸化還元媒介物などの可溶性電気活性種は、コットレル式（１）による電位工程に対する電流応答を生じる平面状のマクロ電極に拡散する。
【数１】
2007521484.tif 000003
式中ｎは、電子移動中に含まれる電子数、Ｆは、ファラデー定数（９６，４８５．３Ｃ／当量）、Ａpは、溶液と接触するマクロ電極の面積、Ｃは、サンプル中の検体の濃度、Ｄは、種の有効拡散係数、およびｉpは、マクロ電極における電流応答である。
【００２４】
マクロ電極における同一電位工程に対するこれらの同一種の応答は、式（２）により特性付けられる電流応答を生じるということを、当業者たちは同様に理解するであろう。
【数２】
2007521484.tif 000004
式中Ａsは、マイクロ電極の面積、γは、電極形状依存性の近接性因子、およびｉsは、マイクロ電極における電流特性。式（１ｂ）および（２ｂ）において、ｔ（∞）は、「準無限」または「定常状態」拡散の条件が、問題となっている電極において、それぞれ確立できているかどうかという充分長い時間を意味している。
【００２５】
１つの実施形態は、（ａ）平坦なマクロ電極と対極／参照電極間に、また（ｂ）マイクロ電極と対極／参照電極間に同一の電位を印加することになる。さらに時間依存性の電流応答が、マクロ電極およびマイクロ電極の両電極における数時間点持続電位の印加において測定される。
【数３】
2007521484.tif 000005
の解析は、式（３）中に示されるようにｓｌｏｐｅpを生じ、一方
【数４】
2007521484.tif 000006
の同一解析は、式（４）に示されるように、ｉｎｔｅｒｃｅｐｔsを生じる。
【数５】
2007521484.tif 000007
【００２６】
本発明において、ｉpおよびｉsの両者が、同一反応およびサンプルから由来するとすれば、式（５）による種の濃度に関係なく、装置中の電気化学的反応種に対する見かけの拡散係数を計算することが出来て、そこでは、マイクロ電極の半径ｒoのみならず、２つの電極タイプの面積ＡpおよびＡsが、明白である。たとえば、球状微小電極は、次式を与える。
【数６】
2007521484.tif 000008
【００２７】
Ｄが、見積もられると、電気化学的種の測定された濃度にＣ対する訂正を提供するために、種々の方法で適用できる。いくつかの実施形態は、Ｃを計算するために、式（３）中のＤの推定値を単純に使用する。このようなＣの定量は、電流応答が式（１）によりおおむね記述される電流滴定法センサーにおいて普通であるように、Ｄ中の相殺されない変化を受けにくい。この訂正は、Ｄにおける変化の原因（たとえば、温度、ヘマトクリット、粘度変化など）には、独立しており、訂正は、サンプルの化学特性に対する２つの電極対の異なる機能依存性により提供されることも、著名なことである。
【００２８】
ここに図示された各ストリップでは、１つの電極アレーは、サンプル中のグルコースなどの検体を測定するために使用される。サンプルが、アレーに達すると、アレーに隣接しておかれている試薬と結合して、業界では理解されているように、ある電気的信号の存在下に、ある特性の電気的インピーダンスを与え、そしてインピーダンスは、第１データとして使用される。第１アレーから下流または上流のいずれかでよいが、好ましくは試薬で覆われていない他のアレーが、サンプルに対して、他の電気的刺激を与えるために使用されかつアレーにおける電気的応答は、ヘマトクリット、温度などの干渉体により、公知の方法で影響される第２データとして使用される。この２つのデータは、組み合わされて、訂正された検体濃度値を与える。この２つのアレーは、非常に小さな寸法の共通の体積中で、単一サンプルを同時に分析するために使用される。
【００２９】
一般的情報
システム
本発明は、サンプル流体中の検体を試験するために有用なシステムに関する。本システムは、標的検体に関してサンプル流体を評価する装置および方法を包含している。この評価とは、検体の存在を検出することから、検体の濃度を定量するという範囲である。検体およびサンプル流体は、テストシステムが、適当であればいかなるものでも良い。説明目的のみのために、検体は、グルコースでありかつサンプル流体は、血液または間質性流体である好ましい実施形態を、記載している。しかし、本発明は、その範囲に限定しているものではないことは、明白である。
【００３０】
センサー
本システムの１つの部品は、サンプル流体用のサンプル受け取り室およびテスト検体の存在下に電気化学的信号を生成するための試薬を含む電気化学的センサーである。このセンサーは、使い捨てテストストリップ、特にサンプル受け取り室に対して先端開口を提供する積層構造をもつものを含むことが好ましい。この試薬は、室内にも配置されている作用電極に対して電気化学的信号を提供するための位置づけで、サンプル受け取り室内に配置されている。グルコース検出などの適当な場合には、試薬は、酵素および随意的に媒介物を含んでいても良い。
【００３１】
メータ
センサーは、サンプル流体中の検体の存在および／または濃度の定量のためのメータと組み合わせて使用される。このメータは、従来から、センサーの電極と検体の濃度に対応した電気化学的信号を評価するための回路と接続されている。このメータは、サンプル流体がセンサーにより受領されたこと、およびサンプル流体の量がテスト用に充分であることを決定する手段をも包含しても良い。このメータは、典型的には、分析の結果を記憶しかつ表示するか、またはその代わりに、別の装置に対してデータを提供しても良い。
【００３２】
検体−特性
システムは、検体に対する定性的または定量的表示を提供する。１つの実施形態において、システムは、サンプル流体中の検体の存在を単純に表示する。システムは、サンプル流体の検体の定量または濃度の読み取りをも提供する。好ましい実施形態において、検体濃度の高度の正確なかつ精密な読み取りが、得られるということが本発明の特徴である。
【００３３】
検体−タイプ
本システムは、幅広い多様な検体の定量に有用である。たとえば、テストストリップは、検体の存在を評価するために使用できる適当な化学反応を用いた用途に容易に適用される。最も好ましくは、本システムは、生物学的流体中の検体のテスト用に構成されまた使用される。そのような検体としては、たとえば、グルコース、乳酸エステル、尿酸エステル、ケトンなどが挙げられる。本システムに対する相応の改質は、当業者には自明であろう。説明の目的のためにおよび特に好ましい実施形態において、本システムは、生物学的流体中のグルコースの検出に関して記述する。
【００３４】
干渉物
テストの方法論は、サンプル流体中の干渉物の存在により種々に影響を受ける。たとえば、血液サンプル中のグルコースに対するテストは、ビリルビン、ヘマトクリット、尿酸、アスコルビン酸エステル、アセトアミノフェノン、ガラクトース、マルトースおよび脂質などの因子により、影響を受ける。本システムは、サンプル流体中にも存在する干渉物の副作用を最小にし、または除去するために用いられる。これらの作用は、影響を受けることが少ない化学反応の選択により、または、とてもではないが、可能な干渉物により、テスト材料およびパラメータの適当な選択により行われる。干渉物に対して異なった感度をもっているが、関心のある検体に対しては実質的に同一の感度をもつ２つ以上の試薬の選択により、それらを行なってもよい。当技術で公知のごとく、干渉物が、テストゾーンに入らないようにする塗膜または膜の使用など干渉可能性のある作用を処理するために、他の工程を用いても良い。さらに、干渉物の作用を最小限にするために、電極構造または呼出し方法の改質を使用することが出来る。
【００３５】
流体タイプ
本システムは、幅広い多様なサンプル流体の場合に有用であり、また好ましくは、生物学的流体中の検体の検出に使用される。この状況において、「生物学的流体」という語彙は、検体が測定可能なあらゆる体液、たとえば、間質流体、真皮流体、汗、涙、尿、羊膜流体、髄液および血液を包含している。本発明の背景における「血液」という語彙は、全血液および無細胞の成分、すなわち、血漿および血清を包含する。さらに、本システムは、テスト用システムの完全性を確かめるために、従来の方法で使用される参照流体と組み合わせて有用である。
【００３６】
好ましい実施形態において、本システムは、グルコースのテストに対して用いられる。この場合におけるサンプル流体は、たとえば、具体的には、指の先端または許容された部位（たとえば、前腕、手のひら、上腕、ふくらはぎ、大腿部）から得られた新鮮な毛細管血液、新鮮な静脈血、およびシステムと共にまたはシステムに対して供給される対照溶液を包含する。
【００３７】
流体を、テストストリップに対して、どのような方法で取得しても良いし、運んでも良い。たとえば、従来の方法により、ランセットを用いて、皮膚に切り込みを入れて、その後皮膚表面に現れる流体とテストストリップを接触させることにより、取得してもよい。テストストリップは、非常に少量の流体サンプルで有用であるというのが、本発明の態様である。したがって、テストに必要な体積の流体を生じるために、皮膚のわずかの切開のみが必要であり、この方法に関する痛みおよびその他のことを、最小限にすることが出来るし、または除去できるということが、本発明の望ましい特性である。
【００３８】
電極
電極のタイプ
本発明は、「電気化学的センサー」に関するものであり、それは、センサー内の電気化学的酸化還元反応および／または溶液内の帯電した層の移動展開により、検体の存在の有無を検出し、および／または濃度を測定するように構成されている装置である。これらの反応は、検体の量または濃度に相関できる電気的信号に変換される。したがって、テストストリップは、すくなくともサンプル受け取り室内の作用電極および対極からなる電極システムを包含する。サンプル受け取り室は、室に入ってくるサンプル流体が、作用電極および対極の両者に電気的に接触しておかれるように構成されている。これにより、電流は、検体または生成物の電気的酸化または電気的還元を生じさせるための電流を、電極間に流れることが出来る。
【００３９】
本発明の背景において、「作用電極」とは、酸化還元媒介物の作用を用いてまたは用いないで、検体または生成物を電気酸化または還元する電極である。「対極」という語彙は、ここでは、作用電極と対をなしており、またそれを経由して、同等の大きさで電気化学的電流および作用電極を経由して流れる電流のサインとは逆の電流を通す電極をいう。「対極」という語彙は、参照電極（すなわち、対極／参照または補助電極）としても機能する対極を包含することを意味する。
【００４０】
電極材料
作用電極および対極および電極システムの残存部分は、公知の技術のように、種々の材料から形成しても良い。電極は、相対的に低い電気抵抗をもつべきであり、またテストストリップの操作範囲に亘り電気的に不活性であるべきである。作用電極用の適当な導電体としては、金、パラジウム、白金、炭素、チタン、酸化ルテニウム、イリジウム、インジュウム錫オキサイドのみならず、参照として上記に組み入れた検体センサー出願中に開示された導電体などの他のものが、挙げられる。対極は、同一の材料でも、異なる材料によって作られていてもよい。好ましい実施形態においては、両電極は金電極である。
【００４１】
電極応用
本発明により利用される電極システムは、充分な導電性と完全さをもった電極を生じる方法で、ベース基材に用いられる。典型的なプロセスは、当技術には公知であり、たとえば、スパッタ、印刷などを包含する。好ましい実施形態においては、電極および他の導電性部品は、ベース基材を塗布しかつその後選択された塗布部分を除去して部品を生成させることにより、提供される。好ましい除去方法は、レーザー切除であり、さらに好ましくは、参照として上記に組み入れられた「バイオセンサーの制作方法」に記載されているように、広フィールドレーザー切除であり、またさらなる関係する考察は、米国特許出願番号０９／８６６，０３０（２００１年５月２５日にファイルされた「連続カバーレイ・チャンネルによるレーザー切除電極をもったバイオセンサー」という名称を付けられている）および０９／４１１，９４０（１９９９年１０月４日にファイルされた「パターン形成された積層体および電極用のレーザー確定特性」という名称を付けられている）中に見出される。電気的部品およびとりわけ、ここに記載されている電極システムを提供するための製作と応用の他の種々の方法は、当技術においてよく知られている。
【００４２】
試薬組成物
本テストストリップは、テスト検体と反応して、サンプル流体中の検体の存在を表す電気化学的信号を生じるサンプル受け取り室内に、化学試薬を含んでいる。テストの化学的性質は、評価される予定の検体に関して選択される。当技術でよく知られているように、限定されるものではないが、これと同じ日にファイルされた「テストストリップ用試薬ストライプ」（代理人整理番号７４０４−５６６）という名称の特許出願中に記載されている化学的性質を包含して、種々の検体の各々を用いた用途に用いられる多くの化学的性質がある。それゆえ、適当な化学的性質の選択は、当業者には公知であり、またさらにここにおける記述は、本発明を作りかつ使用するために必要でない。
【００４３】
しかし、ここにおける目的として、好ましい実施形態では、検体は、グルコースであると記載されているが、特に断らない限りは、本発明の範囲および請求項の範囲限定されるものではないということを理解されるべきである。グルコースの場合には、テストの化学的性質は、典型的には、グルコース用の酵素および酸化還元媒介物を含んでいる。この酵素は、サンプル中のグルコースを酸化し、かつ媒介物は、還元酵素と反応する。その後、媒介物は、検体の生成物の酸化還元同等物を、電極表面に対して拡散により左右させる。媒介物は、定められた陽極電位において定量的に酸化され、生じた電流は、見かけのグルコース濃度に関係する。グルコースの検出に適した多数の試薬システムがありまたこれらの例は、ＡＣ励起、検体センサーおよびバイオセンサー応用、米国特許第５，３８５，８４６号明細書および米国特許第５，９９７，８１７号明細書、および米国（再発行）特許出願第１０／００８，７８８号（「電気化学的バイオセンサーテストストリップ」）に含まれており、これらは、参照としてここに組み入れられている。
【００４４】
グルコースの化学的性質は、酸化還元媒介物を利用して、作用電極とグルコース検体のあいだに電流を介在させ、またそうでなければ、それは、電極上の直接電気化学的反応には適していない。検体と電極のあいだに電子を左右する媒介物は、電子移送剤として機能する。非常に多数の酸化還元種が、知られており、また酸化還元媒介物として使用できる。一般的に、好ましい酸化還元媒介物は、迅速に還元されかつ酸化される分子である。例としては、ヘキサシアノ鉄酸塩、ニトロソアニリン、それらの誘導体およびフェロセンおよびその誘導体が、挙げられる。
【００４５】
測定スキーム
本発明の１つの態様において、第１電極対は、第２電極対を用いて得られる第２計量と結び付けられる第１計量を提供する。以前に述べたように、従来のテストストリップは、少なくとも２つの電極対（各々は、たとえば、作用電極および対極）を用いて、電極対の１つの上の、または隣接する試薬と検体との反応に基づいて、検体濃度を定量する。検体濃度の基本計量は、それにより得られる。しかし、ヘマトクリット、温度、サンプル流体中の他の種の存在などの他の因子に対する計量を訂正しまたは補正することが、しばしば望ましい。本発明の１つの実施形態においては、１つの電極は、検体のベースの計量を行いかつ他の電極は、ベース計量の訂正または補正を提供する２つの電極対を用いて、ある場合に最終の計量値を与えるバイオセンサーおよび方法が提供される。
【００４６】
２つの電極対の使用は、１つの電極対は、マクロ電極からなり、また他の電極対は、マクロ電極からなるという異種の電極の使用を包含する。ここで使用されているように、マクロ電極という語彙は、その第１次有効拡散特性が、電極表面に対して垂直である電極のことをいう。マクロ電極は、１次拡散特性が、線形拡散特性になるように、設計されかつ配置されている。マイクロ電極という語彙は、計量の特性時間スケール上での収束性の定常状態または準定常状態を示す電極のことをいう。マイクロ電極は、放射状の拡散が、応答機能中に重要な変化をもたらす電極をいう。たとえば、マイクロ電極は、１次インピーダンス特性が、切端動力学たとえば、フィンガーの最近接端のあいだの特性になるように設計されかつ置かれている。このさらなる機能性は、図示した例示の実施形態に関して、考察する。
【００４７】
マイクロ電極の利点の１つは、これらの装置は、たとえば、０．５０秒から３．２５秒の少ないあいだに、または０．５秒未満で、電極において準定常状態の電流フラックスを迅速に到達するように構成できかつ操作できるということである。準定常状態の迅速な取得により、検体濃度の定量がより迅速にかつより正確に出来る。このことは、たとえば、準定常状態に到達する前に取られた読み取りをベースとした結果を推定または展望した従来のアプローチと対比される。
【００４８】
本発明のいくつかの実施形態に見られるさらなる利点は、ＤＣ信号の印加に対する準定常状態の対応は、多くの先行技術システム中の準定常状態よりも高い大きさになるということである。このことは、信号の信号対雑音比を向上させ、かくして本システムは、より正確な結果を与えることが出来るようになる。
【００４９】
本発明のいくつかの様式中に使用されている電極フィンガーの互いに噛み合ったアレーで見られるさらなる利点は、所定のスペース内で達成することが出来る劇的に増加した電極端長さである。デザインにより、より大きなサンプルを必要とするシステムと同品質の結果を達成しながら、より小さなこれらのシステムを用いて、結果を得ることが出来る。
【００５０】
本開示および参照として上記に組み入れたＡＣ励起応用に与えられる当業者のものに生じるような種々のマイクロ電極構造に対して、式が与えられるし、使用できることを注意する。各センサーデザイン中に存在する電気化学的構造の応答関数を直接決定するための経験的な計量を使用することも出来る。応答関数の分析的記述も、定常状態電流の達成も、改良されたシステム性能に対しては、まったく必要が無いことに、注意する。
【００５１】
全般的記述−構造
本発明は、広い多様なバイオセンサー装置中で有用な電極構造およびシステムを提供するものである。本発明の有用性を示す典型的なテストストリップ構造を、ここに記述する。しかし、本発明の原理は、種々の他のバイオセンサーの設計においても等しく応用できるということは、理解されよう。基本的なバイオセンサー部品のその特定の組成、サイズおよび他の特性は、重大なものでなくまた、そのために、制限的なものではない。
【００５２】
図１を参照して、ストリップ２１０は、駆動回路および計量回路（図示していない）と伝達するための第１端２１１をもち、一方、端２１８は、ここで考察するように、電極と接触して体液を受けるために適用される。駆動回路は、コンタクト２１６を経由して既知の電流および／または電位を提供し、かつある期間に亘り電流および／または電圧をモニターする。各信号は、導電体２７０、２７２、２７４および２７６を経由して、コンタクト２１６および電極（図２から１４に示す）のあいだを移動する。これらの導電体は、当業者により理解されているように、たとえば、金または炭素を含めた多様な導電体材料のいずれか、または組み合わせから作られている。
【００５３】
端２１８においては、図２に見られるように、切り込みした流体ガイド２１４は、一般的に長方形であり、そこから切りとられた長方形切り欠き１４８をもっている。流体ガイド２１４は、基材層２１２（参照として上記に組み入れられた「バイオセンサーの製作方法」またはそうでなければ、技術分野で公知であるに開示されているポリイミドまたはその他の材料）の上に置かれ、また毛細管作用によりベント２６２に向けて端２２４から引き込まれる流体に対して、開口２５１（図２参照）を提供している。カバー層２５０は、ガイド層２３６の上に置かれ、切り欠き２４８によって部分的に定められる流体通路に対して上部閉じ込めを提供している。これらの構造は、以下にさらに詳細に考察する。
【００５４】
図１に示されているある構造に対する連続参照としての図２に戻って、ストリップ２１０は、基材層２１２、試薬ストライプ２６４、流体ガイド２１４およびカバー層２１８を含んでいる。組み立てられると、通路２４８は、上は、カバー層２１８の底面２５８により、また下は、試薬ストライプ２６４（電極対２８４上に置かれているが、電極対２８０上には置かれていない）および基材表面２３２上部の電極領域２６６により、内部切り欠き表面２４９により、水平に定められている。テスト操作中には、被テスト流体が、それぞれ流体ガイド２１４の端２４０、カバー層２１８の過ぎた端２５４と基材２１２の端２２４を経由して、通路２４８に入る。流体は、通路２４８中に毛細管作用により引かれ、端２２４および２５４からまたベント２６２に向けて、広がっている通路に続く（図１参照）。
【００５５】
毛細管通路は、測定電極および関連試薬が含まれているサンプル受け取り室を提供し、検体を含む流体サンプルは、バイオセンサーのこれらの部品と接触する。毛細管通路の寸法は、実質的に変化するのが、本発明の特徴である。１つの実施形態においては、この通路は、幅が１０００ミクロン、高さ１００ミクロンおよび長さが２０００ミクロンの容積である。他の実施形態および経路の測定は、一般的には、上記で参照した検体センサー応用で考察している。流体が、この通路に沿って移動するにしたがい、さらに以下に詳細に記述するように、試薬および電極と接触するようになる。
【００５６】
基材２１２上には、コンタクト２７８が、トレース２７９を経由して、電極２８０に接続されている。これらの電極２８０は、基材２１２の長さに垂直方向に、端２２４に平行に、互いに伸びている。好ましい実施形態の一つにおいては、電極２８０は、切り欠き２４８の幅を横切って到達するために充分な長さであり、少なくとも５０ミクロンの幅とそれらの最近接点のあいだが５０ミクロンより大きく離れた長方形である。他の好ましい実施形態においては、電極２８０は、幅が、約１００ミクロンで、ギャップが１００ミクロンである。さらに他の好ましい実施形態においては、電極２８０は、幅が、約２５０ミクロンで、ギャップが２５０ミクロンである。他の構造および寸法は、当業者にとっては、思いつくものであり、また特定のストリップおよびシステムに対してデザイン考慮して、必要によりまたは望みにより、本発明中に使用しても良い。
【００５７】
コンタクト２８２は、トレース２７７を経由して、電極対２８４に接続されている。各電極２８４は、複数の、平行で、延びた長方形（「フィンガー」）であり、各電極は、端２２４に対してほぼ平行にまた切り欠き２４８の中央線に垂直に延びており、切り欠き２４８の幅を超えた両端に到達している。この長方形は、一端または他端において、トレース２７４または２７６に対して、交互パターンで接続され、互いに噛み合った一連のフィンガーを形成しており、これらを以下に詳細に考察する。種々の実施形態においては、マイクロ電極対２８４中の各長方形フィンガーは、幅が、約５ミクロンと約７５ミクロンのあいだで、ギャップが、隣接フィンガーとのあいだで約５ミクロンから約７５ミクロンのあいだである。隣接フィンガー間のフィンガー幅とギャップは、それぞれ好ましくは、切り欠き２４８の幅を横切って一致している。
【００５８】
図２に続く参照として、ここで図３において、図２中のストリップ２１０の電極部分の拡大図を示す。以上考察したように、電極２８０は、ストリップ２１０の端２２４に対して平行になっており、反対の端で導電トレース２７０および２７２に接続されて、電極対２６６を形成している。その際近接端２８１は、実質的にその長さに亘って一定である参照番号２８６により示される距離（「ギャップ」）だけ、離されている。同様に、互いに噛み合ったフィンガー２８４は、電極対２６８を形成し、交互フィンガーは、導電性トレース２７４および２７６に接続されている。
【００５９】
図４に変えて、ストリップ３１０は、基材層２１２、試薬ストライプ３６４、切り欠き流体ガイド２１４およびカバー層２１８を示している。この実施形態においては、流体ガイド２１４により定められる流体流入毛細管切り欠き３４８は、まずマクロ電極２８０に出会う。マクロ電極２８０は、導電体３７９を経由してストリップ３１０の端３６８において、コンタクト３７８に接続されている。電極２８０は、それぞれたとえば、幅が約２５０ミクロンであり、また電極間のギャップも、約２５０ミクロンである。ストリップ端３６６からやや離れて、電極対２８４があり、それは、各５つのフィンガーの２つの電極であり、辺上の各フィンガーは、導電体３７７を経由してストリップ端３６８でコンタクト３８２に接続されている。電極対２８４の各フィンガーは、幅が約２０ミクロンの長方形であり、各隣接フィンガーは、約２０ミクロンのギャップだけ、次のフィンガーから離れている。試薬ストライプ３６４は、電極対２８０をカバーしているが、電極対２８４をカバーしていない。
【００６０】
テストのあいだ、サンプルが、電極対２８０をカバーすると、ＡＣ信号は、一定時間のあいだ、コンタクト３７８に印加される。同様に、サンプルが、電極対２８４をカバーした後にしばらく重なった時間のあいだ、ＤＣ信号が、コンタクト３８２に対して印加され、電極対２８４間の電気的応答は、サンプル中のグルコース濃度を推定するために使用される。電極対２８０のフィンガー間のサンプル応答は、サンプルのヘマトクリットに対して敏感であり、それは、サーミスター・ベースの回路により提供される温度値と共に、電極２８４を用いて得られた推定に対する訂正因子を提供している。この「訂正因子」は、必ずしも、乗法または加算の因子ではなく、その代わり、式中に参照表中におよび／または他の方法で使用されて、当業者により理解されるように、温度およびサンプル中またはサンプルの特性中の他の材料の有無に基づいて推定値を訂正することに、注意をする。たとえば、参照として上記に組み入れたＡＣ励起応用を参照のこと。本実施形態において、測定電極をカバーするに充分な毛細管切り欠き３４８内の血液の体積は、約１３０ｎＬである。
【００６１】
他の実施形態は、ストリップ４１０として図５中に示されている。基材層２１２は、２つのコンタクト４７８を用いてトレースされており、かつ試薬ストライプ４６４（上電極４８０）、切り欠き流体ガイド２１４およびカバー層２１８によって、部分的にカバーされている。コンタクト４７８は、導電性トレース４７７を経由して、第１電極対４６６および第２電極対４６８に接続されており、各対からの１つの電極は、各辺上でコンタクト４７８の１つに接続されている。本実施形態において、駆動回路および計量回路（図示していない）は、両電極対からの応答を与えまた測定するために、１対のコンタクト４７８を使用していることに、注意する。さらに、マイクロ電極４８４およびマクロ電極４８０の相対的配置は、図４に示した実施形態にたいして、逆になっていることに注意する。マクロ電極４８０は、たとえば、再び幅が、約２５０ミクロンで、そのあいだのギャップが、約２５０ミクロンである。また、マイクロ電極対４６６中の各電極は、対の他の電極中にあるフィンガーと互いに噛み合っている５つのフィンガーから作られている。各フィンガーは、再び、幅が、約２０ミクロンで、ギャップが、隣接フィンガーとのあいだで約２０ミクロンである。
【００６２】
本実施形態において、試薬ストライプ４６４は、電極対４６８をカバーしているが、電極対４６６をカバーしていない。サンプルが、電極対４６６をカバーすると、システムは、その対を経由して、ＡＣ信号を使用し、検体測定用の訂正因子を定める。サンプルが、電極対４６８をカバーしたら、検体濃度の推定は、米国特許出願第０９／５３０，１７１号および米国特許出願第１０／２６４，８９１号、国際特許出願第ＰＣＴ／ＵＳ９８／２７２０３号、米国特許第５，９９７，８１７号明細書および電気化学的バイオセンサーテストストリップ（再発行）出願などの技術において公知であるＤＣ励起方法を用いて得られる。上記した典型的な寸法を用いて、毛細管空洞の体積は、約１３０ｎＬである。
【００６３】
図６に変えて、ストリップ５１０は、基材層２１２、試薬ストライプ５６４、切り欠き流体ガイド２１４およびカバー層２１８を含むことが理解される。この実施形態においては、作用電極５８１は、２つの対極フィンガー５８０のあいだにあり、それらは、導電体２１６の１つにより、同じコンタクトに接続されている。これらの電極５８０および５８１は、第１電極対４８０を形成し、かつこの電極対４８０中の３本のマクロ電極フィンガーの各々の幅が約２５０ミクロンであり、また作用電極５８１のどちらか一方の側のギャップは、約２５０ミクロンである。
【００６４】
第２電極対２８４は、各６本のフィンガーおよび７本のフィンガーの２つの電極からなり、各フィンガーは、交互パターンで互いに噛み合っている。各フィンガーは、再び、幅が、約２０ミクロンで、ギャップが、隣接フィンガーとのあいだで約２０ミクロンである。本実施形態においては、試薬層５６４は、両電極対４８０と２８４をカバーしている。マクロ電極対４８０は、コットレル様の応答を提供し、そこでは、電流は、拡散係数の平方根に比例し、一方では、マイクロ電極対２８４は、拡散係数に直接比例した電流を提供する。この２つの応答を一緒にすると、環境因子が訂正され、向上した応答が、得られる。本実施形態における測定に必要なサンプルの体積は、約２００ｎＬである。
【００６５】
他の代わりの実施形態は、図７に示されている。ストリップ６１０は、基材層２１２、試薬ストライプ６６４、切り欠き流体ガイド２１４およびカバー層２１８を含む。図６に示されているように、第１電極対５７２は、それぞれカウンターマクロ電極５８０および作用マクロ電極５８１を含み、各電極は、幅が、約２５０ミクロンで、それらのあいだのギャップが、約２５０ミクロンである。しかし、本実施形態においては、電極対６６１は、各３本のフィンガーの２つの電極からなっている。各フィンガーは、幅が、約５０ミクロンで、ギャップが、隣接フィンガーとのあいだで約５０ミクロンである。
【００６６】
サンプルが到達する第１電極対（マクロ電極対５７２）は、ＡＣ励起技術を使用して、ヘマトクリット・ベースの計量を得るために使用される。第２電極対（マイクロ電極対６６１）は、ＤＣ励起を使用して、サンプル中のグルコースおよびサンプルのヘマトクリットに依存する計量を得るために使用される。試薬ストライプ６６４は、電極対６６１のみをカバーし、そして約２００ｎＬのサンプル体積は、関係する領域中の毛細管容積を充填するために必要である。計量は、パラメータとして、当業者が思いつくような電極構造、試薬システムおよび他の因子に基づいた式に結び付けられる。
【００６７】
図８は、本発明の他の実施形態を提供する。ストリップ７１０は、基材層２１２、試薬ストライプ３６４、切り欠き流体ガイド２１４およびカバー層２１８を含む。本実施形態においては、第１電極対３６６は、２つのマクロ電極８８０を含み、各電極は、単一長方形フィンガーをもっているが、一方第２電極対７７０は、２つのマイクロ電極を含み、各電極は、互いに噛み合ったパターンの５本のフィンガーをもっている。本実施形態におけるフィンガーは、幅が、約５０ミクロンで、それらのあいだのギャップが、約３０ミクロンであり、また試薬ストライプ３６４は、第２電極対７７０をカバーしている。毛細管通路の関係する部分中の電極をカバーするために必要な体積は、約１７０ｎＬである。
【００６８】
ここで図９に変えて、ストリップ８１０は、基材層２１２、試薬ストライプ３６４、切り欠き流体ガイド２１４およびカバー層２１８を含む。１対のコンタクト８７８は、導電体８７７を経由して第１電極対８６６および第２電極対８６８の両者に接続されている。第１電極対８６６は、２つの単一フィンガーマクロ電極８８４を含み、一方第２電極対８６８は、２つのマイクロ電極を含み、各電極は、互いに噛み合ったパターンの５本のフィンガーをもっている。第１電極対８６６における各電極は、再び幅が、約２５０ミクロンで、それらのあいだのギャップが、約２５０ミクロンである。第１電極対８６６は、サンプルのヘマトクリットに基づいて、第１計量を得るために使用される。第２電極対８６８の各フィンガーは、幅が、約５０ミクロンで、ギャップが、隣接フィンガーとのあいだで約３０ミクロンである。サンプルが、第２電極対８６８をカバーするとき、ＤＣ信号は、コンタクト８７８に印加される。電極８６８間に生成されたインピーダンスは、サンプル中のグルコースおよびサンプルのヘマトクリットの濃度をベースにして、第２計量を得るために使用されている。その計量は、第１電極対８６６を経由して得られる計量とサーミスター（図示していない）からの温度信号と式中で結び付けられて、訂正されたグルコース濃度値を得る。また試薬ストライプ３６４は、第２電極対８６８をカバーしており、またサンプルの必要な体積は、再び約１７０ｎＬである。
【００６９】
図１０は、基材層２１２、試薬層１０６４、切り欠き流体ガイド２１４およびカバー層２１８を含むストリップ１０１０である他の代わりの実施形態を示している。本実施形態においては、サンプルが遭遇する第１電極対１０８１は、作用電極１０７１、単一フィンガーの電極を含んでいる。第１電極１０８１は、カウンター電極対１０７２、作用電極１０７１のどちらか一方の側に１つのフィンガーをもった２本フィンガーの電極をも含んでいる。第１電極対１０８１中の各フィンガーは、幅が、約２５０ミクロンで、かつ約２５０ミクロンのギャップが、作用電極フィンガーから各カウンター電極フィンガーを分離している。第１電極対１０８１中の各電極（すなわち、作用電極１０７１および対極１０７２）は、導電性トレース２１６を経由してコンタクト１０６７に電気的に接続されている。システムドライバーは、コンタクト１０６７に接続され、サンプル中の検体の推定濃度を得るために、第１電極対を使用する。
【００７０】
第２電極対１０８２は、各５本のフィンガーをもった２つの電極を含んでいる。これらのフィンガーのそれぞれは、幅が、約５０ミクロンで、それらのあいだには、約３０ミクロンの隔たりがある。第２電極対中の各電極は、コンタクト１０６８に電気的に接続されるように、導電性トレース２１６に接続され、またコンタクトは、第２電極対と検体との相互作用に基づいて、ヘマトクリットなどの訂正因子の駆動と測定に使用されている。
【００７１】
第３電極対１０８３も、他の電極中の５本のフィンガーと互いに組み合わされている５本のフィンガーをもっている第３電極対１０８３中に２つの電極のそれぞれをもったマイクロ電極構造である。各フィンガーは、再び幅が、約５０ミクロンで、それらのあいだのギャップが、約３０ミクロンである。第３電極対１０８３中の各電極は、導電性トレース２１６を経由して、コンタクト１０６９に接続されており、またサンプルキャビティ１０４８を経由してサンプルが、充分な程度に到達したとき、これらの電極のあいだの電気的応答に基づいて、これらのコンタクトを経由して、サンプル体積の充分性を検出するために、駆動される。試薬層１０６４は、本実施形態における上流側電極対１０８１をカバーしていることを注意する。３つの電極対全部をカバーするために、この実施形態中のサンプルキャビティは、サンプル流体の約２２０ｎＬを必要とする。
【００７２】
ここで図１１に変えて、ストリップ１１１０は、基材層２１２、試薬ストライプ１１６４、切り欠き１１４８をもった切り欠き流体ガイド１１１４およびカバー層１１１８を含む。ストリップ１１１０のサンプル端１１６６からの第１電極対１１７０は、各５本のフィンガーの２つの電極を含み、そこでは、各フィンガーは、幅が、約２０ミクロンで、各隣接フィンガーを隔てるギャップが、約２０ミクロンである。この電極対は、ＡＣ励起およびインピーダンス測定技術を使用することにより、ヘマトクリットなどの干渉物の濃度を定量するために使用される。これらの技術の例に対しては、参照として上記に組み入れたＡＣ励起応用を参照のこと。
【００７３】
ストリップ１１１０のサンプル端１１６６からの第２電極対１１７１は、各３本のフィンガーの２つの電極を含む。各フィンガーは、幅が、約２０ミクロンで、各隣接フィンガーを隔てるギャップが、約２０ミクロンである。このシステムは、第２電極対１１７１に対して、ＡＣ励起またはＤＣ励起を印加することにより、グルコース濃度の温度補償された推定を引き出す。毛細管経路を充填しかつ本実施形態における電極をカバーするために必要なサンプルの体積は、約６９ｎＬである。
【００７４】
ここで図１２に変えて、ストリップ１２１０は、基材２１２、試薬ストライプ１２６４、切り欠き流体ガイド１１１４およびカバー層１１１８を含む。ストリップ１２１０のサンプル端１２６０からの第１電極対１２６６は、各５本のフィンガーの２つの電極を含む。このシステムは、ストリップ１２１０中の第１電極対１２６６を使用して、第２電極対１２６８を用いて得られる他の計量と組み合わせるために、実質的な部分では干渉物の検出をベースとして、１つの計量を得る。ストリップ１２１０のサンプル端からの第２電極対は、電極対１２６８であり、それは２つの電極を含み、各電極は、３本のフィンガーをもち、また電極対１２６８は、試薬層１２６４によりカバーされる。第２電極対１２６８中のフィンガーも、幅が、約２０ミクロンで、かつ約２０ミクロンのギャップで隔てられている。この第２電極対１２６８は、サンプル中の検体濃度を推定するために、このシステムにより使用される。第１電極対１２６６は、ＡＣ技術を実行するが、第２電極対１２６８は、ＡＣ信号またはＤＣ信号により駆動される。さらに、第３電極１２７０は、サンプル端から下流にあって（第２電極対１２６８の先）、単一の電極フィンガーであり、幅が、約２０ミクロンで、導電体１２７４を経由して、コンタクト１２７２に接続されている。第３電極１２７０と第１電極対１１６６または第２電極対１１６８のいずれかとのあいだのＡＣ信号応答は、システムに対してサンプルの充実性信号を提供する。本実施形態の変形において、第３電極１２７０は、第２電極対１１６８をもった回路中の電極として、技術中に公知である種々の検出および測定技術の適用に対して機能する。
【００７５】
図１３は、基材２１２、試薬ストライプ１４６４、切り欠き１４４８をもった流体ガイド１４１４およびカバー層１４１８を含むストリップ１４１０を示している。ストリップ１４１０のサンプル端１１６６からの第１電極対１１７０は、２つの電極を含み、それぞれは、５本のフィンガーをもっている。電極１１７０中のフィンガーは、各々幅が、約２０ミクロンで、かつ隣接する互いに噛み合うフィンガーを隔てるギャップは、約１０ミクロンである。
【００７６】
この第２電極対１１７１は、それぞれ３本のフィンガーをもつ２つの電極を含む。電極１１７１のフィンガーは、幅が、約２０ミクロンで、かつ隣接する互いに噛み合うフィンガー間のギャップは、約１０ミクロンである。第１電極対１１７０は、サンプルのヘマトクリットを求めかつ訂正因子を計算するために、このシステムにより使用されるが、一方グルコース濃度の推定は、サンプルおよび試薬の存在下で第２電極対１１７１の応答から導かれる。第３電極対１４７１は、それぞれ２本のフィンガーをもつ２つの電極である。本実施形態においては、サンプルが、電極対に到達するまで第３電極１４７１を横切って、電位が、印加されるため、電極間のインピーダンスが変更される。その後、システムは、行われる正確な分析のために、サンプルが、第１電極対１１７０および第２電極対１１７１を充分にカバーしたと結論付ける。本例示的な実施形態において、約６３ｎＬのサンプル体積が、３つの電極対をカバーするために必要である。
【００７７】
図１４は、基材層２１２、試薬ストライプ１４６４、切り欠き流体ガイド１４１４（切り欠き１４４８をもった）およびカバー層１４１８をもつストリップ１４１０を示している。第１電極対１４６６は、第１知覚ゾーン１４７６を定めかつそれぞれは、５本のフィンガーをもっている２つの電極を含む。フィンガーは、幅が、約２０ミクロンで、かつ互いに噛み合うフィンガー間に約２０ミクロンのギャップを含んでいる。この第１電極対１４６６は、サンプルのヘマトクリットを反映する応答を提供するために使用され、このシステムは、第２電極対１４６８を使用することにより求められるサンプル中のグルコースの推定濃度を訂正することができる。第２電極対１４６８は、第２知覚ゾーン１４７８を定めかつそれぞれは、３本のフィンガーをもっている２つの電極を含む。第２電極対１４６８用のフィンガーサイズおよびギャップは、第１電極対１４６６用のそれらと同一である。この第２電極対１４６８は、第１電極対１１６６により得られる濃度推定に対して訂正因子を得るために使用され、かつＡＣ／インピーダンス測定技術を使用する。
【００７８】
図１５は、図１１中のストリップの変形であるストリップ１５１０を示し、そこでは、電極対１５７０および１５７１およびそれらをカバーする層が、わずかに改質されている。特に、電極対１５７０は、４本のフィンガーをもっている作用電極を含み、それぞれは、幅が、５０ミクロンで、ギャップ幅は、２０ミクロンである。電極対１５７０中の対応する対極は、３本のフィンガーをもち、５０ミクロンの幅をもつ。第２電極対１５７１は、それぞれ幅が１００ミクロンの２本のフィンガーをもっている作用電極と、幅も１００ミクロンで、ギャップ幅は、２０ミクロンである単一フィンガーをもった対極を含んでいる。本実施形態において、試薬１５６４は、電極対１５７１のみをカバーし、一方塗膜１５６５は、電極対１５７０をカバーする。塗膜１５６５は、パーム選択性、サイズ選択性、イオン選択性塗膜であり、または従来技術で公知である電極対１５７０における測定に影響するサンプルの部分または成分を制限する他の塗膜である。この実施形態に関する変形において、３個以上の電極対が、存在し、かつ各電極対は、異なった試薬、他の塗膜、または塗膜の組み合わせによりカバーされ、異なった感度をもった対応する数々の計量を提供し、その計量が、最終計量出力を決定するために結び付けられる。他の点においては、セルの形状および塗膜１５６５および試薬１５６４の選択から導かれる定数および関数以外は、計量は、図１１に関して記述したように生じる。
【００７９】
記述された実施形態の種々の態様は、所定のシステムに対する設計パラメータおよび優先性にしたがって、望みによりまたは必要により結びつけることが出来る。たとえば、図４に示したように、ストリップ上の電極およびコンタクト間の１対１対応であっても良い。または、フィンガーが、ストリップの同じ側に組み合わされている全電極は、たとえば、図５に示されているように、同一コンタクトに電気的に接続されていても良く、それにより、多対１の関係を提供する。
【００８０】
さらに、ここに考察されるデザインのいずれも、図１１および１４中に示されているように、サンプルの分析に使用されるものから下流にある「線量充実性」電極を１つまたはそれ以上を収容できる。このような線量充実性電極は、２つ以上の電極を含み、かつ関連した回路は、電極間に存在するインピーダンスに基づいて、サンプルが、これらの電極に到達したかどうかを決定することが出来る。代わりの実施形態は、単一線量充実性電極を包含し、かつメータおよび駆動回路は、これらの電極間の空間中にあるサンプル流体の存在を検出するために、それと測定電極（作用電極または対極、推定または訂正対）のあいだのインピーダンスを使用する。
【００８１】
以前記述しているように、バイオセンサーは、サンプルが、テストストリップに入ってくるように、測定電極の上流側で、テストストリップの端に近く置かれる以外は、この線量充実性電極システムに比較できる線量検出電極システムを含んでいても良い。そのような線量検出電極システムは、別に設けられた計量または他の電極と組み合わせて、機能する単一電極を包含しても良い。代わりに、該線量検出電極システムは、サンプル流体が、線量検出電極間のギャップを埋めるときを示すために、互いに機能する１対の電極を含む。したがって、該線量検出電極は、機能という点では、線量充実性電極と類似しているように見えるが、測定電極に対してそれらの上流位置における電極の位置に関して、異なっている。
【００８２】
他の変形においては、本システムにおけるサーミスターは、グルコース推定を訂正するために、ヘマトクリットの読み取りと共に使用される温度を決定する。換言すれば、第２電極対は、当業者に公知の技術を用いて、温度補償されたグルコース推定を提供する。
【００８３】
さらなる他の変形においては、サンプルが最初に遭遇する電極対は、１対のマクロ電極であり、一方その他の変形においては、それは、マイクロ電極対である。どちらの場合も、各電極は、適当な寸法の１，２，３，４，５本またはそれ以上のフィンガーを含み、その全てが、互いにまたメータ／駆動エレクトロニクスに伝達するコンタクトに、電気的に接続されている。
【００８４】
さらに、他の変形においては、望みの結果を達成するために、計量の他の組み合わせが、使用される。一般的に、種々の変形は、対応する数の応答信号を得るために、２つ以上の電極に対して電気信号を印加する。信号（ＡＣ対ＤＣ、スペクトル、振幅など）、電極形状または寸法、サンプルに適用される試薬（または、１つ以上の電極においては、試薬の無いものもありうる）における差、および／またはその他の差があるので、信号応答は、検体濃度および干渉物の異なった組み合わせに対して、敏感である。そのような１つの例において、第１応答は、サンプルのヘマトクリットに関係するが、一方第２応答は、サンプル中のヘマトクリットとグルコース濃度の組み合わせに関係している。他の例においては、第１応答は、温度に関係し、第２応答は、温度とヘマトクリットの組み合わせに関係し、また第３応答は、温度とヘマトクリットとグルコースの組み合わせに関係している。得られる機能は、各デザインにより変化するようであるが、それらは、必要でない実験をすることなく、当業者により経験的に求めることが出来る。
【００８５】
ここにおける実施形態は、組み合わせた計量という点または計量をして訂正因子を求めるという点について記述してきたが、本発明によるシステムは、適当な形状と適当な技術を使用して、最終の検出または計量結果を達成するための複数の測定を得てかつそれを組み合わせることができるということを、当業者は、評価できるであろう。すなわち、本発明を実施するものは、より多くのまたはより少ない電極を使用しても良く、また形状、試薬およびデザインと組み合わされた他のデザイン選択という観点から、適当である読み取りを組み合わせるための式を使用しても良い。
【００８６】
上記に参照として組み入れた検体センサー応用において考察したように、検体の正確な検出は、コネクターに有害なインパクトを与えることなく、先行技術システムよりも、本発明による小体積ストリップベースのシステムにおいて達成できる。このことにより、小さなサンプルで計量を満足させることが出来て、時間の節約とシステムの使用者に対するイライラを抑えることができる。
【００８７】
ここに引用した全ての出版物、先行出願および他の文献は、それぞれが、個々に参照として組み入れられかつ充分に説明されてきたかのように、ここに、完全を期して、参照として組み入れられている。
【００８８】
図および前述の記述において、本発明を詳細に説明しかつ記述してきたが、同じことは、説明に役立つものでありまた特性に制限的ではないと考えるべきであり、好ましい実施形態のみを示しまた記述してきたということ、および当業者に思いつく全ての変更および改質は、保護されることが望ましいことを理解されるものとする。
【図面の簡単な説明】
【００８９】
【図１】本発明の１つの実施形態によるテストストリップの透視図である。
【図２】図１のテストストリップの選択された層の分解組み立て図である。
【図３】図１のテストストリップの電極部分の切り欠き平面図である。
【図４】本発明による代わりのテストストリップの分解組み立て図である。
【図５】本発明による代わりのテストストリップの分解組み立て図である。
【図６】本発明による代わりのテストストリップの分解組み立て図である。
【図７】本発明による代わりのテストストリップの分解組み立て図である。
【図８】本発明による代わりのテストストリップの分解組み立て図である。
【図９】本発明による代わりのテストストリップの分解組み立て図である。
【図１０】本発明による代わりのテストストリップの分解組み立て図である。
【図１１】本発明による代わりのテストストリップの分解組み立て図である。
【図１２】本発明による代わりのテストストリップの分解組み立て図である。
【図１３】本発明による代わりのテストストリップの分解組み立て図である。
【図１４】本発明による代わりのテストストリップの分解組み立て図である。
【図１５】本発明による代わりのテストストリップの分解組み立て図である。
【図１】
2007521484.tif 000009
【図２】
2007521484.tif 000010
【図３】
2007521484.tif 000011
【図４】
2007521484.tif 000012
【図５】
2007521484.tif 000013
【図６】
2007521484.tif 000014
【図７】
2007521484.tif 000015
【図８】
2007521484.tif 000016
【図９】
2007521484.tif 000017
【図１０】
2007521484.tif 000018
【図１１】
2007521484.tif 000019
【図１２】
2007521484.tif 000020
【図１３】
2007521484.tif 000021
【図１４】
2007521484.tif 000022
【図１５】
2007521484.tif 000023
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
毛細管通路を定めるテストストリップ中において、該通路が、該通路を経由して所定の経路に沿って、毛細管作用により体液サンプルの移動を誘導するように設計され、サンプル中の検体の濃度に相関している第１計量を得るための該通路と電気的に伝達される第１セット電極と、
第１計量に影響するサンプルの特性と相関する第２計量を得るための該通路と電気的に伝達される第２セット電極を含み、
セット電極のうちの１つが実質的に平行な互いに噛み合ったフィンガーを有する電極対を含み、各電極が少なくとも２つのフィンガーを有し、さらに各フィンガーが一方のセット電極中の他の最近接フィンガーから約５０ミクロン未満の第１の距離であり、および
他方のセット電極が少なくとも５０ミクロンの第２の距離だけ離間した各々１つのフィンガーを有する一対のマクロ電極を含む
ことを特徴とする改良。 
【請求項２】
該第１セット電極が、実質的に平行な互いに噛み合ったフィンガーである電極対を含む請求項１記載のテストストリップ。 
【請求項３】
該第２セット電極が、実質的に平行な互いに噛み合ったフィンガーである電極対を含む請求項１記載のテストストリップ。 
【請求項４】
サンプルが、通路中の所定の距離を入ってくるときに定量する経路と電気的に伝達される第３セット電極をさらに含む請求項１、２または３記載のテストストリップ。 
【請求項５】
第３セット電極が、第１セット電極および第２セット電極の両者よりも通路の入り口から近い少なくとも１つの容量検出電極を含む請求項４記載のテストストリップ。 
【請求項６】
第３セット電極が、一対のサンプル充足電極からなり、両者は、第１セット電極および第２セット電極よりも通路の入り口から遠い請求項４記載のテストストリップ。 
【請求項７】
第１セット電極および第２セット電極の両者よりも通路の入り口から近い少なくとも１つの電極を含む第４セット電極をさらに含む請求項６記載のテストストリップ。
【請求項８】
体液サンプル中の検体濃度を測定する方法であって、請求項１〜７のいずれか１項によるテストストリップを提供することと、第１セット電極に対する第１電気信号の印加に対する第１応答を取得することと、第２セット電極に対する第２電気信号の印加に対する第２応答を取得することと、サンプル中の検体濃度測定を導くために、第１応答および第２応答を使用することを含むことを特徴とする方法。 
【請求項９】
取得工程の前に、テストストリップへのサンプルの適用を検出することを、さらに包含する請求項８記載の方法。
【請求項１０】
取得工程の前に、サンプルの体積の充足性を検出することを、さらに包含する請求項８または９記載の方法。 
【国際調査報告】
2007521484.tif 000024
2007521484.tif 000025
2007521484.tif 000026
2007521484.tif 000027